(57)【特許請求の範囲】
【請求項１】
給電中は作動状態になってリモコン端末から無線で受信したリモコン信号を電気信号形式のものへ変換してリモコン信号線へ出力するリモコン信号受信部、
前記リモコン信号線から入力されるリモコン信号に基づき制御される被制御機器、
手動により操作され前記リモコン信号受信部への給電及び非給電を切替える給電スイッチ、
前記リモコン信号線の被制御機器側の端部における電気信号レベルに基づき前記給電スイッチのスイッチング状態を検知する検知手段、及び
前記検知手段の検知に基づき前記被制御機器への給電を制御する給電制御手段、
を備えることを特徴とするリモコン装置。
【請求項２】
前記検知手段は、電気信号レベルが前記リモコン信号線における前記リモコン信号の最大のパルス幅より長い所定時間、継続する場合には、前記給電スイッチはオン位置にあると検知し、及び／又は、電気信号レベルが前記リモコン信号線における前記リモコン信号の最大の無パルス幅より長い所定時間、継続する場合には、前記給電スイッチはオフ位置にあると検知することを特徴とする請求項１記載のリモコン装置。
【請求項３】
リモコン信号線における電気信号が所定レベルを継続する時間が第１の所定値以上でありかつ第２の所定値以下である場合には、該電気信号はリモコン信号を構成していると判断して前記リモコン信号線の被制御機器側の端部からリモコン信号を抽出するリモコン信号抽出手段、
を備えることを特徴とする請求項１又は２記載のリモコン装置。
【請求項４】
前記給電スイッチは、前記被制御機器から前記リモコン信号受信部への給電線における電力をオン、オフするものであり、
前記給電制御手段は、外部電源からの電力を供給されるとともに前記給電線の被制御機器側の端へ常時接続されている給電端子と、前記被制御機器への前記給電端子の電力の供給及び非供給を切替える切替手段とを備えることを特徴とする請求項１〜３のいずれかに記載のリモコン装置。
【請求項５】
前記給電スイッチがオン位置になると給電されて点灯状態になる点灯手段を備えることを特徴とする請求項１〜４のいずれかに記載のリモコン装置。
【請求項６】
前記リモコン装置は自動車に搭載され、前記リモコン信号受信部及び前記給電スイッチは運転席の前方の車室内に配設され、前記被制御機器は、運転席の前方以外の車室内又は車室外に配設されることを特徴とする請求項１〜５のいずれかに記載のリモコン装置。
【請求項７】
前記被制御機器は、外付けオーディオ機器からの入力オーディオ信号を変調してチューナへ無線送信する送信機であることを特徴とする請求項１〜６のいずれかに記載のリモコン装置。
【発明の詳細な説明】
【技術分野】
【０００１】
本発明は、例えば自動車に搭載されてリモコン端末からのユーザ操作に従って所定のオーディオ処理を行なうリモコン装置に関する。
【背景技術】
【０００２】
特許文献１は、自動車の車室において、運転席の左斜め前方のダッシュボードの部位に受光部を配設するとともに（特許文献１の図１）、マルチコントローラ（リモコン端末に相当するもの）からの光信号形式のリモコン信号を該受光部において受信し（特許文献１の段落００１２）、空調機器や音響機器等の付属機器をマルチコントローラから制御することを開示する。
【０００３】
一方、ユーザが携帯型デジタルオーディオプレーヤを自動車内に持ち込んで、該携帯型デジタルオーディオプレーヤの内蔵メモリに格納されている楽曲を再生して、再生音を自動車のスピーカから流すオーディオシステムが公知になっている。該オーディオシステムは例えばブラックボックス（例：図１のブラックボックス１３）を利用するものであり、ブラックボックスは、運転座席の下や、トランクルームに配設され、ユーザは、携帯型デジタルオーディオプレーヤ等の外付けオーディオ機器をブラックボックスの補助入力端子へケーブルで接続し、ブラックボックスは、該端子から入力した再生音信号を微弱電波で送信し、車載チューナが、該電波を受信して、車室内のスピーカより流すようになっている。
【０００４】
なお、ブラックボックス自体は、表示部を有していないので、チューナの表示部は、ブラックボックスの機能設定等における情報表示用として使用されている。
【０００５】
ユーザがブラックボックスに指示を出すために、ハンディタイプのリモコン端末（例：後述の図１のリモコン端末１７）が用意されるとともに、受光部（例：後述の図１のリモコン受信部１２）がダッシュボードに配設され、リモコン端末からの光形式のリモコン信号は受光部に受信される。リモコン信号は、受光部より所定の信号線を介してブラックボックスへ送られて、ブラックボックスは、入力したリモコン信号に対応する処理を実施するようになっている。
【０００６】
なお、受光部は、作動のために、給電される必要があるので、ブラックボックス−受光部間には、受光部において受信したリモコン信号を受光部からブラックボックスへ送る信号線の他に、受光部への給電線及びグランド線が配線される。
【特許文献１】実開平６−６８９５８号公報
【発明の開示】
【発明が解決しようとする課題】
【０００７】
節電のために、ブラックボックスの不使用中は、ブラックボックス及びリモコン信号受光部、さらにはチューナの電源はオフにしておくことが望ましい。また、ユーザは、節電のために、ブラックボックスの使用中のみ、チューナの電源オンにする場合、ブラックボックスが電源オン及びオフのどちらになっているかを、チューナの表示部に頼らずに、すなわち、チューナが電源オフになっていても、知る必要がある。これに対処するためには、ブラックボックスの電源スイッチを設けて、該電源スイッチのスイッチング状態をユーザが観察できるようにすればよい。
【０００８】
ブラックボックスの電源スイッチを、ダッシュボード等の、運転者が運転席から手を伸ばして届く部位に配備した場合、該電源スイッチのオン、オフ位置の切替え情報を運転座席の下等のブラックボックスへ通知する必要がある。信号線を１本追加して、該信号線を介して電源スイッチのオン、オフ位置を、ダッシュボード等から大分はなれたブラックボックスの検知部へ通知する信号を流すことは、長い配線の追加が必要になること、及び配線の本数増大により、全部の配線を束ねたケーブルが太くなって、使い難くことなることの理由により、組付けや製造上、都合が悪い。
【０００９】
信号線を追加することなく、手動操作の電源スイッチのスイッチング状態をブラックボックスへ通知する方策として、リモコン信号の各指示と同様に、電源スイッチのスイッチング状態に係るコードを設定し、リモコン信号線を介して該コード信号をブラックボックスへ通知することが考えられる。しかし、該方策では、新規なコードに対処して、受光部におけるコード信号生成器ＩＣの変更やブラックボックスにおけるデコード処理器の変更等が必要となり、対処が膨大化する。
【００１０】
特許文献１は、被制御機器の電源オン、オフを切替える電源スイッチを被制御機器から離れた場所に設けた場合に、該電源スイッチのスイッチング状態を、リモコン信号受信部−被制御機器間の配線を追加することなく、被制御機器へ通知する方策についてなんら言及していない。
【００１１】
本発明の目的は、リモコン信号受信部及び被制御機器の電源オン、オフに共用する給電スイッチを設けることにより、節電を図るとともに、該給電スイッチのスイッチング状態を、信号線を新規に追加することなく、また、該スイッチング状態に新規のコード信号を割当てることなく、被制御機器側へ通知して、リモコン信号受信部及び被制御機器の電源を給電スイッチのスイッチング状態に基づき適切に制御することができるリモコン装置を提供することである。
【課題を解決するための手段】
【００１２】
本発明のリモコン装置は次のものを有している。
給電中は作動状態になってリモコン端末から無線で受信したリモコン信号を電気信号形式のものへ変換してリモコン信号線へ出力するリモコン信号受信部、
リモコン信号線から入力されるリモコン信号に基づき制御される被制御機器、
手動により操作されリモコン信号受信部への給電及び非給電を切替える給電スイッチ、
リモコン信号線の被制御機器側の端部における電気信号レベルに基づき給電スイッチのスイッチング状態を検知する検知手段、及び
検知手段の検知に基づき被制御機器への給電を制御する給電制御手段。
【発明の効果】
【００１３】
本発明によれば、リモコン信号受信部及び被制御機器の給電制御のための共用の給電スイッチをリモコン信号受信部側に設けて、リモコン信号受信部及び被制御機器の節電に対処できるとともに、ユーザは、該給電スイッチのスイッチング状態から被制御機器が作動状態にあるか否かを認知して、対応の適切な措置（例：ＲＤＳチューナの電源オン、オフや微弱電波受信の為の選局操作）を果たすことが可能になる。
【００１４】
本発明によれば、リモコン信号受信部のスイッチング状態に応じて、リモコン信号受信部−被制御機器間のリモコン信号線における電気信号レベルが切り替わることに着目し、被制御機器側でリモコン信号線の電気信号レベルに基づき該給電スイッチのスイッチング状態を検知する。したがって、長い信号線を新規に追加したり、リモコン信号線を介して給電スイッチのスイッチング状態情報を被制御機器へ通知するために、スイッチング状態用にコードを割当てたりする不都合を解消できる。
【発明を実施するための最良の形態】
【００１５】
図１はオーディオ処理装置１０の概略構成図である。該オーディオ処理装置１０は、リモコン受信部１２、ブラックボックス１３及びリモコン端末１７を備え、自動車に搭載される。リモコン受信部１２は、運転席前方のダッシュボードに配備され、ブラックボックス１３は、運転座席と車室床との間の空間や、車室外のトランクルーム等に配設される。ケーブル１４は、リモコン受信部１２−ブラックボックス１３間に配線され、後述するように、計３本の配線を含んでいる。
【００１６】
ブラックボックス１３は、補助入力（ＡＵＸ）端子に、ｉＰｏｄ（登録商標）のような携帯型デジタルオーディオプレーヤや、ＣＤチェンジャや、デジタルチューナ等の外付けオーディオ機器を適宜、ケーブル接続され、補助料力端子へ入力される楽曲等のオーディオ信号からＲＤＳ（Radio Data System）規格のＦＭ信号を生成し、それを微弱電波で飛ばす。
【００１７】
例えば、該自動車には、ＲＤＳチューナが該自動車の純正品として搭載されており、該ＲＤＳチューナは、ブラックボックス１３からの電波をアンテナから受信して、オーディオ信号を生成し、自動車のスピーカ（図示せず）より楽曲の再生音等を流す。
【００１８】
リモコン端末１７は、ユーザの掌に載るほどの大きさであり、ユーザは、リモコン端末１７におけるキー操作により、オーディオ処理装置１０に各種の指示を出すようになっている。リモコン端末１７からのリモコン信号は光でリモコン受信部１２へ送信される。リモコン受信部１２は、受信した光信号に対し、それに対応するコードに係るデジタル電気信号を生成し、信号線２９（図２）へ出力する。
【００１９】
ユーザによるリモコン端末１７からのブラックボックス１３の機能設定の際には、前述したＲＤＳチューナの表示部が利用される。すなわち、ブラックボックス１３は、リモコン端末１７からのリモコン信号に係る処理に必要な表示をＲＤＳチューナの表示部に行なうために、表示しようとする情報に対応するＲＤＳデータを生成し、これを変調器にかけて、ＦＭ電波で飛ばす。ＲＤＳチューナは、アンテナにおいて該電波を受信して、該電波を復調して、ＲＤＳデータを抽出し、ＲＤＳデータに対応する情報を自機の表示部に表示する。
【００２０】
図２はオーディオ処理装置１０の主要部構成図である。リモコン受光ＩＣ２０は、リモコン受信部１２（図１）に内蔵されている。ブラックボックス１３は、リモコンコード検出回路２４、パワーオン／オフ検出回路２５、給電制御回路２６及び給電端子２７を含む。オーディオ処理装置１０を搭載する自動車のエンジンキーがアクセサリ（ＡＣＣ）位置又はオン（ＯＮ）位置になると、バッテリからの電力が給電端子２７に供給され、該エンジンキーのオフ（ＯＦＦ）位置では、給電端子２７は無給電状態になる。
【００２１】
ケーブル１４は、ブラックボックス１３−リモコン受光ＩＣ２０間を延び、信号線２９、給電線３０及びグランド線３１の計３本の配線を含む。信号線２９は、ブラックボックス１３側において２個に分岐し、各分岐端においてそれぞれリモコンコード検出回路２４及びパワーオン／オフ検出回路２５の入力端子へ接続されている。給電制御回路２６は、パワーオン／オフ検出回路２５の検知に基づきブラックボックス１３への給電を制御する。なお、パワーオン／オフ検出回路２５は、給電端子２７へ電力が供給されている期間では、常時、給電されて、作動状態を維持している。
【００２２】
給電スイッチ３４は、リモコン受光ＩＣ２０近傍のダッシュボードの部位に配設され、運転者が運転席から手を伸ばして操作自在になっている。給電スイッチ３４がオン位置になると、リモコン受光ＩＣ２０は、給電端子２７から給電線３０を介して電力を供給され、作動状態になる。給電スイッチ３４がオフ位置になると、リモコン受光ＩＣ２０は、給電線３０を介しての給電を断たれ、不作動状態になる。
【００２３】
ＬＥＤ（Light Emitting Diode）３５はリモコン受信部１２又は給電スイッチ３４のケース表面に又は給電スイッチ３４の近傍のダッシュボード部位に、配設され、、給電スイッチ３４のリモコン受光ＩＣ２０側端子へ接続されている。ＬＥＤ３５は、給電スイッチ３４のオン位置では、給電スイッチ３４を介して給電状態になり、点灯する。後述するように、給電スイッチ３４のオン位置及びオフ位置に連動して、ブラックボックス１３は給電状態（作動状態）及び非給電状態（不作動状態）になるので、ユーザは、ＬＥＤ３５の点灯及び消灯からブラックボックス１３の電源オン状態及びオフ状態を把握することができる。
【００２４】
なお、ユーザは、ＬＥＤ３５の点灯中は、例えばＲＤＳチューナを電源オン（パワーオン）状態にし、ＬＥＤ３５の消灯中でかつＲＤＳの番組を聴取しないときは、ＲＤＳチューナを電源オフ（パワーオフ）状態にする。これにより、ＲＤＳチューナの不使用時のＲＤＳチューナの節電が図られる。
【００２５】
給電スイッチ３４がオフ位置にある場合には、リモコン受光ＩＣ２０は不作動状態であり、結果、リモコン受光ＩＣ２０はリモコン端末１７からのリモコン信号の受信が困難であるとともに、リモコン受光ＩＣ２０から信号線２９への出力電圧は、グランド電圧（＝０）に維持されている。給電スイッチ３４は、そのブラックボックス１３側の端子へ給電端子２７からの電圧が印加されなくなると、オフ位置に自動的に復帰するようになっていることが望ましい。これにより、ユーザが、給電スイッチ３４をオン位置にしたまま、オフ位置へ切り替えるのを忘れても、次の自動車運転開始時には、給電スイッチ３４は初期位置としてのオフ位置になることができる。
【００２６】
給電スイッチ３４がオン位置にある場合には、リモコン受光ＩＣ２０は作動状態であり、結果、リモコン受光ＩＣ２０は、リモコン端末１７からのリモコン信号を受信可能となるとともに、信号線２９への出力電圧をグランド電圧から所定値＋Ｖへ上昇させる。リモコン受光ＩＣ２０は、その作動中、リモコン端末１７からのリモコン信号の非受信期間では、信号線２９への出力電圧を＋Ｖに維持する。また、リモコン受光ＩＣ２０は、その作動中、リモコン端末１７からのリモコン信号の受信期間では、受信したリモコン信号の内容に対応するコードを表すデジタル信号を信号線２９へ出力する。該デジタル信号は、その論理"１"及び"０"に対して例えば無パルス幅が１．６９ｍｓｅｃ及び０．５６ｍｓｅｃなどと割当てられている。
【００２７】
リモコンコード検出回路２４及びパワーオン／オフ検出回路２５は、信号線２９のブラックボックス１３側の端子電圧からそれぞれリモコンコード及び給電スイッチ３４のスイッチング状態を検出する。パワーオン／オフ検出回路２５は、ブラックボックス１３パワーオフ中も、信号線２９の電圧を監視する必要があるので、給電端子２７へ自動車バッテリからの電力が供給されている期間は、常時、該給電端子２７からの電力を供給されて、作動状態を維持している。
【００２８】
図３は図２のパワーオン／オフ検出回路２５において実施されるパワーオン／オフ検知方法４０のフローチャートである。図２のパワーオン／オフ検出回路２５は、前述したように、信号線２９に対して、リモコンコード検出回路２４の入力端子とは別個に専用の入力端子を有している。したがって、パワーオン／オフ検出回路２５は、リモコンコード検出の処理は行なわない。
【００２９】
パワーオン／オフ検知方法４０は、エンジンキーがオン位置又はアクセサリ位置にあって、ブラックボックス１３が電源オフ（パワーオフ）状態にある期間、一定の時間間隔で実行される。パワーオン／オフ検出回路２５は、信号線２９のブラックボックス１３側端子の電圧に基づき給電スイッチ３４のスイッチング状態を検出するが、信号線２９には、リモコン受信部１２がリモコン端末１７からのリモコン信号を受信している期間では、該リモコン信号に係るデジタル信号が存在するので、パワーオン／オフ検出回路２５は、該デジタル信号に起因する誤検出の防止対策が望まれる。パワーオン／オフ検知方法４０におけるＳ４３，Ｓ４４は、該防止対策に関わっている。
【００３０】
Ｓ４１では、タイマーをリセットする。タイマーは、リセット後、一定時間の経過ごとに、１ずつインクリメントされる。Ｓ４２では、タイマーのカウント値からデータが継続した時間を測定する。ここで、データが継続するとは、パワーオン／オフ検出回路２５における検知電圧が高レベル又は低レベルのどちらかに一定に維持されることを意味する。なお、パワーオン／オフ検出回路２５の検知電圧が高レベルか低レベルかを判断するために、例えば＋Ｖ／２を閾値として設定し、パワーオン／オフ検出回路２５の検知電圧が該閾値以上である場合には、該電圧は高レベルと判断し、また、パワーオン／オフ検出回路２５における検知電圧が該閾値未満である場合には、該電圧は低レベルと判断する。
【００３１】
Ｓ４３では、データの継続が第１の所定時間以下であるか否かを判定する。該第１の所定時間は、信号線２９におけるリモコン信号に係るデジタル信号の１ビットの"１"及び"０"にそれぞれ対応するパルス幅及び無パルス幅のいずれよりも長いものに設定され、例えば１０ｍｓｅｃである。Ｓ４３の判定が正であれば、Ｓ４４へ進み、否であれば、Ｓ４８へ進む。
【００３２】
Ｓ４４では、今回の高レベル又は低レベルの電圧維持はチャタリングと判断し、該電圧維持期間を無視する措置を取る。すなわち、今回のレベル変動前のレベルがそのまま維持されているとして、Ｓ４１のタイマーリセット処理へ経ることなく、Ｓ４２へ戻る。
【００３３】
Ｓ４８では、データの継続が第２の所定時間以下であるか否かを判定する。該第２の所定時間はＳ４３の第１の所定時間より長い値を設定される。該第２の所定時間は、また、"１"のデータの継続については、信号線２９におけるリモコン信号に係るデジタル信号において出現が予測される最大パルス幅より長く設定され、"０"のデータの継続については、信号線２９におけるリモコン信号に係るデジタル信号において出現が予測される最大無パルス幅より長く設定される。この時間が長いとパワーオン／オフ検出回路２５の反応が遅くなる為、３０〜１０００ｍｓｅｃに設定することが望ましい。Ｓ４８の判定が正であれば、Ｓ４１へ戻り、否であれば、Ｓ４９へ進む。
【００３４】
Ｓ４９では、データ、すなわち信号線２９からのパワーオン／オフ検出回路２５の入力電圧が高レベルであるか否かを判定し、判定が正であれば、Ｓ５０へ進み、否であれば、Ｓ５１へ進む。信号線２９からのパワーオン／オフ検出回路２５の入力電圧の高レベル及び低レベルはそれぞれ給電スイッチ３４のオン位置及びオフ位置に対応している。
【００３５】
給電制御回路２６は、パワーオン／オフ検出回路２５の検出（Ｓ４９の判定に対応する。）に基づき給電端子２７からブラックボックス１３への電力供給を制御する。Ｓ５０では、給電制御回路２６は、給電端子２７の電力をブラックボックス１３へ供給し、ブラックボックス１３を作動状態にし、その後、Ｓ４１へ戻る。Ｓ５１では、給電制御回路２６は、ブラックボックス１３への給電端子２７から給電を中止し、ブラックボックス１３を不作動状態にする。
【００３６】
図４は別のオーディオ処理装置５３の主要部構成図である。オーディオ処理装置５３の要素において、オーディオ処理装置１０の要素と同一のものについては、同符号で指示して、説明は省略する。オーディオ処理装置１０に対するオーディオ処理装置５３の相違点について説明する。オーディオ処理装置５３では、オーディオ処理装置１０のブラックボックス１３の代わりに、ブラックボックス５４を備えている。ブラックボックス５４の要素において、ブラックボックス１３の要素と同一のものについては、同符号で指示して、説明は省略する。オーディオ処理装置１０に対するオーディオ処理装置５３及びブラックボックス５４の相違点について説明する。
【００３７】
ブラックボックス５４は共用検知回路５５を備える。共用検知回路５５は、オーディオ処理装置１０のブラックボックス１３におけるリモコンコード検出回路２４及びパワーオン／オフ検出回路２５の両方の機能を兼ねるものとなっている。これに対応して、信号線２９は、オーディオ処理装置１０ではブラックボックス１３側において２個に分岐していたが、オーディオ処理装置５３では、分岐することなく、共用検知回路５５の入力端子へ接続されている。該共用検知回路５５は、リモコンコードと給電スイッチ３４のスイッチング状態とを同時に検出する。
【００３８】
図５は図４のブラックボックス５４の共用検知回路５５において実施されるリモコンコード及びパワーオン／オフ検知方法５６のフローチャートである。ブラックボックス５４の各ステップにおいて、図３のパワーオン／オフ検知方法４０のステップと同一のものについて、同一の符号を示し、説明は省略する。パワーオン／オフ検知方法４０に対するブラックボックス５４の相違点について述べる。
【００３９】
前述の図４の吹き出し内にリモコンコード受信と示す期間のように、リモコンコードに対応するデジタル信号が信号線２９において伝送されている期間では、パルス幅がおおむね０．５６ｍｓｅｃと一定であり、"１"のデータの継続期間はパルス幅とパルス幅の周期が２．２５ｍｓｅｃに相当し、"０"のデータの継続期間はパルス幅とパルス幅の周期が１．１２５ｍｓｅｃに相当する。つまり、"１"のデータの継続期間は無パルス幅が１．６９ｍｓｅｃであり、"０"のデータの継続期間は無パルス幅が０．５６ｍｓｅｃである。
【００４０】
Ｓ４３では、データの継続が第１の所定時間以下であるか否かを判定する。該第１の所定時間は、信号線２９におけるリモコン信号に係るデジタル信号の１ビットの"１"及び"０"にそれぞれ対応するパルス幅及び無パルス幅のいずれよりも短いものに設定され、例えば０．５ｍｓｅｃである。Ｓ４３の判定が正であれば、Ｓ４４へ進み、否であれば、Ｓ４８へ進む。
【００４１】
パワーオン／オフ検知方法４０では、Ｓ４８の判定が正である場合、Ｓ４１へ直ちに戻るのに対し、該リモコンコード及びパワーオン／オフ検知方法５６では、Ｓ５７へ進み、Ｓ５７の処理を経てから、Ｓ４１へ戻るようになっている。Ｓ４８の判定が正であると言うことは、現在が共用検知回路５５へのリモコンコード入力期間と考えられるので、Ｓ５７では、リモコンコードが取り込まれる。
【００４２】
図６はリモコン装置７０のブロック図である。リモコン装置７０は、リモコン信号受信部７１、被制御機器７２、給電スイッチ７３、検知手段７４及び給電制御手段７５を備えている。リモコン装置７０は、さらに、リモコン信号抽出手段７７を備えることもできる。前述のオーディオ処理装置１０は該リモコン装置７０の一例である。リモコン装置７０は、典型的には自動車に搭載されるものであるが、これに限定されない。リモコン装置７０は、家庭や店舗や職場等に配備されるものであってもよい。
【００４３】
リモコン信号受信部７１は、給電中は作動状態になって、リモコン端末８０から無線で受信したリモコン信号を電気信号形式のものへ変換して、リモコン信号線８１へ出力する。被制御機器７２は、リモコン信号線８１から入力されるリモコン信号に基づき制御される。
【００４４】
給電スイッチ７３は、手動により操作され、リモコン信号受信部７１への給電及び非給電を切替える。検知手段７４は、リモコン信号線８１の被制御機器７２側の端部における電気信号レベルに基づき給電スイッチ７３のスイッチング状態を検知する。給電制御手段７５は、検知手段７４の検知に基づき被制御機器７２への給電を制御する。
【００４５】
被制御機器７２は、前述のブラックボックス１３のようなオーディオ信号処理装置であってもよい。該オーディオ信号処理装置は、例えば、外付けオーディオ機器からの入力オーディオ信号を変調して、チューナへ無線送信する送信機である。なお、ブラックボックス１３では、入力オーディオ信号を変調器に掛けて、ＦＭ放送周波数帯域の所定周波数の微弱電波を生成し、該微弱電波をＲＤＳチューナ等のチューナのアンテナへ飛ばしている。
【００４６】
リモコン信号受信部７１は、典型的には、リモコン端末８０からのリモコン信号を光信号により受信する。リモコン信号受信部７１は、リモコン端末８０からのリモコン信号を光信号以外の赤外線その他の無線媒体により受信してもよい。
【００４７】
リモコン信号線８１の電気信号レベルとは、例えば電圧レベル又は電流レベルである。リモコン信号線８１を介してリモコン信号受信部７１から被制御機器７２へ伝送されるリモコン信号は、例えば、各指示を表すリモコンコードに対応付けられたデジタル形式の電気信号となっている。
【００４８】
好ましくは、検知手段７４は、電気信号レベルがリモコン信号線８１におけるリモコン信号の最大のパルス幅より長い所定時間、継続する場合には、給電スイッチ７３はオン位置にあると検知する。好ましくは、検知手段７４は、電気信号レベルがリモコン信号線８１におけるリモコン信号の最大の無パルス幅より長い所定時間、継続する場合には、給電スイッチ７３はオフ位置にあると検知する。
【００４９】
典型的なリモコン装置７０におけるリモコン信号線８１の電気信号レベルは、リモコン信号受信部７１が給電状態にある期間では、リモコン信号のパルスのレベルとなり、リモコン信号受信部７１が非給電状態にある期間では、リモコン信号の無パルスのレベルとなる。一方、リモコン信号線８１は、リモコン端末８０がリモコン信号を受信している期間では、リモコン信号に係るデジタル信号を伝送するので、その期間は、リモコン信号線８１の電気信号レベルが変動する。検知手段７４による上述のリモコン信号の最大パルス幅又は最大無パルス幅に基づく検知は、リモコン信号線８１におけるリモコン信号の存在に起因する検知手段７４の誤検知の防止に寄与する。
【００５０】
好ましくは、リモコン信号抽出手段７７は、リモコン信号線８１における電気信号が所定レベルを継続する時間が第１の所定値以上でありかつ第２の所定値以下である場合には、該電気信号はリモコン信号を構成していると判断してリモコン信号線８１の被制御機器７２側の端部からリモコン信号を抽出する。前述した図５のＳ５７はリモコン信号抽出手段７７の該処理に対応している。第１及び第２の所定値は、図５のＳ４３及びＳ４８の第１及び第２の所定時間にそれぞれ対応している。
【００５１】
給電スイッチ７３は、例えば、被制御機器７２からリモコン信号受信部７１への給電線（例：図２及び図５の給電線３０）における電力をオン、オフするものである。これに対応して、被制御機器７２は、給電端子（例：給電端子２７）と、切替手段（例：給電制御回路２６）とを備えている。該給電端子は、外部電源（例：自動車のバッテリ）からの電力を供給されるとともに、給電線の被制御機器側の端へ常時接続されている。また、該切替手段は、被制御機器７２への給電端子の電力の供給及び非供給を切替える。
【００５２】
好ましくは、リモコン装置７０は、給電スイッチ７３がオン位置になると給電されて点灯状態になる点灯手段（例：ＬＥＤ３５）を備える。
【００５３】
リモコン装置７０が自動車に搭載されるものである場合、典型的なリモコン装置７０では、リモコン信号受信部７１及び給電スイッチ７３は運転席の前方の車室内（例：ダッシュボード）に配設され、被制御機器７２は、運転席の前方以外の車室内（例：運転座席下）又は車室外（例：トランクルーム）に配設される。
【００５４】
本発明を各種具体的形態について説明したが、本発明は、これに限定されるものではなく、発明の要旨を逸脱しない範囲で、各種具体的形態における各構成要素を変形（削除も含む。）して具体化できる。また、各種具体的形態間の構成要素の置換したり、各種具体的形態の複数の構成要素を組み合わせたりすることにより、種々の発明を形成することもできる。
【図面の簡単な説明】
【００５５】
【図１】オーディオ処理装置の概略構成図である。
【図２】オーディオ処理装置の主要部構成図である。
【図３】図２のパワーオン／オフ検出回路において実施されるパワーオン／オフ検知方法のフローチャートである。
【図４】別のオーディオ処理装置の主要部構成図である。
【図５】図４の共用検知回路において実施されるリモコンコード及びパワーオン／オフ検知方法のフローチャートである。
【図６】リモコン装置のブロック図である。
【符号の説明】
【００５６】
７０：リモコン装置、７１：リモコン信号受信部、７２：被制御機器、７３：給電スイッチ、７４：検知手段、７５：給電制御手段、７７：リモコン信号抽出手段、８０：リモコン端末、８１：リモコン信号線。
【図１】
0004735404.tif 000002
【図２】
0004735404.tif 000003
【図３】
0004735404.tif 000004
【図４】
0004735404.tif 000005
【図５】
0004735404.tif 000006
【図６】
0004735404.tif 000007